(57)【特許請求の範囲】
【請求項１】
路面に接する本底と、この本底を介して履用者の足裏に伝わる力を分散するインソールとを備えた履物の底部材において、
前記インソールが第１足趾骨を支持可能な内側パッドと第２足趾骨から第５足趾骨までの外側部分を支持可能な外側パッドとを有し、
前記本底とインソールの間に配設され且つ前記本底の先端部分を上方に引き上げると共に前記内側パッドを上方に付勢する芯部材を設け、
前記内側パッドは、前記外側パッドよりも高反発材料で形成されたことを特徴とする履物の底部材。
【請求項２】
前記インソールは、前記本底に前記芯部材を介在させて固着された中底と、前記中底上面に着脱可能に装着された中敷とを有し、
前記内側パッドと外側パッドは、前記中敷に固着されたことを特徴とする請求項１に記載の履物の底部材。
【請求項３】
前記芯部材は、前半部が後半部に対して上方に屈曲形成され、
前記前半部は、前記履物の重量を引き上げ可能に構成されたことを特徴とする請求項１又は２に記載の履物の底部材。
【請求項４】
前記芯部材は、カーボンファイバからなる不織シートによって構成されたことを特徴とする請求項１〜３の何れか１項に記載の履物の底部材。
【請求項５】
路面に接する本底と、この本底を介して履用者の足裏に伝わる力を分散するインソールとを備えた履物の底部材において、
前記インソールが第１足趾骨を支持可能な内側パッドを有し、
前記本底とインソールの間に配設され且つ前記本底の先端部分を上方に引き上げると共に前記内側パッドを上方に付勢する芯部材を設け、
前記インソールは、前記本底に前記芯部材を介在させて固着された中底と、前記中底上面に着脱可能に装着された中敷とを有し、
前記内側パッドは、前記中敷に固着され、
前記中敷が第２足趾骨から第５足趾骨までの外側部分を支持可能な外側パッドを有し、
前記内側パッドは、前記外側パッドよりも高反発材料で形成されたことを特徴とする履物の底部材。
【発明の詳細な説明】
【技術分野】
【０００１】
本発明は、路面に接する本底と、この本底を介して履用者の足裏に伝わる力を分散するインソールとを備えた履物の底部材に関する。
【背景技術】
【０００２】
従来より、履用者（ユーザ）の足を包み込む甲皮（アッパ）と、最下層で路面に接する本底（アウトソール）と、足裏に伝わる力を分散するためのインソール等によって靴等の履物が形成されている。通常、インソールは、本底に直接固着された中底（ミッドソール）と、中底上面に配置された中敷とにより構成されている。狭義の意味として、中底を除いた中敷のみがインソールと呼ばれることもある。
【０００３】
靴底と一体化されたインソールでは、衝撃吸収等の作用を付加することによって履き心地、見栄え、歩行機能の向上等を狙いとした技術が提案されている。
特許文献１の足用矯正具は、履物の中底又は履物に挿入して使用する足用矯正具であって、母趾球を押圧するように突出した第１突出部と、小趾球を押圧するように突出した第２突出部と、第１，第２突出部が配設されたベース部とを有し、ベース部が、爪先側領域部と、この爪先側領域部よりも薄い踵側領域部と、爪先側領域部と踵側領域部の厚みの差を吸収する段差部とによって構成されている。
【０００４】
また、靴底の高さ位置を爪先から踵にかけて徐々に低く形成することにより、履用者のアキレス腱を軽く伸びた状態にして、履用者の歩行推進力を大きくする技術が提案されている（例えば、特許文献２）。特許文献２の靴は、履用者の筋特性に基づき推進力が増加されることから、人間工学的に履用者の膝が上がり易く、履用者が路面の障害物に対して躓き難くなる。
【先行技術文献】
【特許文献】
【０００５】
【特許文献１】特開２０２０−０５８５５５公報
【特許文献２】特開２０１８−０７８９６８公報
【発明の概要】
【発明が解決しようとする課題】
【０００６】
特許文献１の足用矯正具は、靴履用者の足部踏付部の押圧力に応じて親指等が下向きに動くという履用者の条件反射を利用するものである。更に、特許文献１の技術では、押圧対象部位である母趾球と小趾球とを第１，第２突出部によって均等な押圧力で上方に夫々押圧することにより、足と脚とを連結する距骨の傾きを矯正しながら立位姿勢改善を図っている。しかし、特許文献１の足用矯正具は、履用者の疲労等によって歩行改善効果を十分に確保することができない虞がある。
【０００７】
特許文献１の技術は、第１突出部で母趾球周辺を押圧する一方、母趾球よりも爪先側の第１足趾骨領域は押圧しないため、疲労等によって履用者の踏付力（推進力）が低下した場合、母趾球等の踏付部に作用する上向きの押圧力が低下し、爪先が下方に変位する。
それ故、疲労等により履用者の膝の上りや膝の曲がりが不十分になった場合には、爪先が路面に接触することがあり、爪先が路面上の障害物に接触することによって履用者の躓きが懸念される。また、特許文献１の技術に対して特許文献２の技術を併用したとしても、踏付部に作用する押圧力自体が低下しているため、歩行の改善は期待できない。
即ち、履用者の疲労に拘らず歩行改善効果を確保することは容易ではない。
【０００８】
本発明の目的は、履用者の疲労に拘らず歩行改善効果を確保可能な履物の底部材等を提供することである。
【課題を解決するための手段】
【０００９】
請求項１の履物の底部材は、路面に接する本底と、この本底を介して履用者の足裏に伝わる力を分散するインソールとを備えた履物の底部材において、前記インソールが第１足趾骨を支持可能な内側パッドと第２足趾骨から第５足趾骨までの外側部分を支持可能な外側パッドとを有し、前記本底とインソールの間に配設され且つ前記本底の先端部分を上方に引き上げると共に前記内側パッドを上方に付勢する芯部材を設け、前記内側パッドは、前記外側パッドよりも高反発材料で形成されたことを特徴としている。
【００１０】
この履物の底部材では、前記インソールが第１足趾骨を支持可能な内側パッドを有しているため、母趾球から爪先に亙る第１足趾骨領域に内側パッドを用いて押圧力を作用させることができ、履用者の条件反射を用いて親指を強制的に下向きに動かして歩行改善を図ることができる。第２足趾骨から第５足趾骨までの外側部分に外側パッドを用いて押圧力を作用させることができる。前記本底とインソールの間に配設され且つ前記本底の先端部分を上方に引き上げると共に前記内側パッドを上方に付勢する芯部材を設けているため、本底の爪先部分を強制的に引き上げることができ、躓き防止を図ることができる。また、履用者の踏付力に拘らず母趾球よりも爪先側の第１足趾骨領域に上向きの押圧力を作用させるため、履用者による躓き防止動作を距骨下の背屈と内かえしによる最小限の複合運動で実行することができる。前記内側パッドは、前記外側パッドよりも高反発材料で形成されたため、内かえしを促進することができ、履き心地を確保しつつ躓き防止を図ることができる。
【００１１】
請求項２の発明は、請求項１の発明において、前記インソールは、前記本底に前記芯部材を介在させて固着された中底と、前記中底上面に着脱可能に装着された中敷とを有し、前記内側パッドと外側パッドは、前記中敷に固着されたことを特徴としている。この構成によれば、躓き防止動作である背屈と内かえしの複合運動の実行可否を中敷の装着によって切り替えることができる。
【００１２】
【００１３】
請求項３の発明は、請求項１又は２の発明において、前記芯部材は、前半部が後半部に対して上方に屈曲形成され、前記前半部は、前記履物の重量を引き上げ可能に構成されたことを特徴としている。この構成によれば、本底の爪先部分を確実に引き上げることができる。
【００１４】
請求項４の発明は、請求項１又は２の発明において、前記芯部材は、カーボンファイバからなる不織シートによって構成されたことを特徴としている。この構成によれば、簡単な構成で付勢機能付き芯部材を成形することができる。
請求項５の発明は、路面に接する本底と、この本底を介して履用者の足裏に伝わる力を分散するインソールとを備えた履物の底部材において、前記インソールが第１足趾骨を支持可能な内側パッドを有し、前記本底とインソールの間に配設され且つ前記本底の先端部分を上方に引き上げると共に前記内側パッドを上方に付勢する芯部材を設け、前記インソールは、前記本底に前記芯部材を介在させて固着された中底と、前記中底上面に着脱可能に装着された中敷とを有し、前記内側パッドは、前記中敷に固着され、前記中敷が第２足趾骨から第５足趾骨までの外側部分を支持可能な外側パッドを有し、前記内側パッドは、前記外側パッドよりも高反発材料で形成されたことを特徴としている。
この構成によれば、躓き防止動作である背屈と内かえしの複合運動の実行可否を中敷の装着によって切り替えることができ、請求項１と同様の効果を奏することができる。
【発明の効果】
【００１５】
本発明の履物の底部材によれば、履用者の足部に背屈と内かえしによる最小限の複合運動を誘発させることにより、履用者の疲労に拘らず歩行改善効果を確保することができる。
【図面の簡単な説明】
【００１６】
【図１】実施例１に係る靴の全体斜視図である。
【図２】靴の側面図である。
【図３】本底の平面図である。
【図４】芯部材の全体図であって、（ａ）は、側面図であり、（ｂ）は、平面図である。
【図５】中底の平面図である。
【図６】中敷の分解斜視図である。
【図７】中敷の全体図であって、（ａ）は、平面図であり、（ｂ）は、底面図である。
【図８】製造手順を示すフロー図である。
【図９】芯部材貼付工程の説明図である。
【図１０】本底圧着工程の説明図である。
【図１１】実施例２に係るスリッパの分解斜視図である。
【発明を実施するための形態】
【００１７】
以下、本発明の実施形態を図面に基づいて詳細に説明する。
以下の説明は、本発明を履物の底部材に適用したものを例示したものであり、本発明、その適用物、或いは、その用途を制限するものではない。
【実施例１】
【００１８】
以下、本発明の実施例１について図１〜図１０に基づいて説明する。
本実施形態の履物は、第１足趾骨に対応した爪先部分をその他（第２〜第５足趾骨に対応）の爪先部分よりも上向きに付勢する上方付勢機能を備えた婦人用靴１である。
ここで、上方付勢機能とは、履物の履用者（ユーザ）の足部踏付部を押圧した場合、人間工学上、押圧力に応じて履用者の親指等が下向きに動くという筋特性に基づく条件反射を利用した機能である。
【００１９】
図１，図２に示すように、左右１対の靴１は、履用者の足を包み込む甲皮（アッパ）２と、路面に接する靴底（ソール）３等を夫々備えている。尚、１対の靴１は、左右対称構造であるため、特段の説明がない限り左側の靴１について主に説明を行う。
甲皮２は、軽量でソフトな革、合皮、布材等を用いて構成する。通常の野外履きに用いられる甲皮材であれば特段の制限はない。以下、靴１を履いた履用者に対して前側方向を前方とし、左側方向を左方とし、上側方向を上方として説明する。
【００２０】
まず、前提となる足骨格の定義について説明する。
人の足は、踝よりも下側部分であり、外観上、足背、足底及び踵により構成される。
足の骨は、距骨や踵骨を含む７つの骨からなる足根骨と、これら足根骨から前方に夫々延びる５つの骨からなる中足骨と、これら中足骨から前方に夫々延びる１４の骨からなる足趾骨（足指骨）とに分けられる。足趾骨は、内側から順に、母趾に対応した第１足趾骨、示趾に対応した第２足趾骨、中趾に対応した第３足趾骨、環趾に対応した第４足趾骨、小趾に対応した第５足趾骨を有している。第１足趾骨は、基節骨と末節骨、第２〜第５足趾骨は、基節骨と中節骨と末節骨から夫々構成されている。
【００２１】
次に、靴底３について説明する。
靴底３は、路面に直接接触する最下層の本底（アウトソール）４と、この本底４の上に配置されて履用者の足裏に伝わる力を分散するインソール１０と、本底４とインソール１０の間に配設されると共に本底４とインソール１０を夫々上方に付勢する芯部材５とを主な構成要素としている。
【００２２】
図１〜図３に示すように、本底４は、本底４の大半を占めると共に路面に接する踵部を備えた本体部４ａと、この本体部４ａの前端部に連なり第１〜第５足趾骨に対応した爪先部４ｂとを一体的に備えている。本体部４ａは、中足骨と足根骨に対応した本底領域である。爪先部４ｂは、第１〜第５足趾骨に対応した本底領域である。この爪先部４ｂの頂部は、路面から所定の高さ位置ｄ（例えば、約３ｃｍ）になるように、予め本体部４ａの前端部分から上方に向けて湾曲形成されている。
【００２３】
本底４には、路面に接する面に滑り止めになる凹凸模様（溝）が形成されている。この本底４は、屈曲性に富み、反発弾性に優れ且つ圧縮永久歪が少なく、耐屈曲亀裂性の高い素材によって形成されている。このような素材は、例えば、天然ゴム、スチレン・ブタジエンゴム、イソプレンゴム、ウレタンゴム等である。
【００２４】
次に、芯部材５について説明する。
図４（ａ），図４（ｂ），図９，図１０に示すように、芯部材５は、平面視にて、本底４（中底１１）よりも一回り小さい足形形状に形成され、母趾球相当位置と小趾球相当位置を結ぶ線５ａを境にして前半部と後半部が屈曲されている。
芯部材５の線５ａよりも前側の前半部は後半部から立設され、後半部を固定した状態で上方に向けて付勢するように形成されている。
【００２５】
芯部材５は、所定の弾性率を備えた材料、例えばカーボンファイバ、を用いて成形されている。まず、本底４よりも一回り小さい芯型が、カーボンファイバからなる板状不織シートから裁断され、ＭＴＰ関節に近似される線５ａを境にして熱屈曲によりくせ付けされる。これにより、芯部材５の爪先部分に所定の反発力を付与する反発力付与機構が形成される。具体的には、靴１の総重量が１８０〜２００ｇの場合、芯部材５の爪先部分は、２２０ｇｆを引き上げ可能な反発力を有している。
【００２６】
次に、インソール１０について説明する。
インソール１０は、本底４の上面に一体的に接着される中底（ミッドソール）１１と、この中底１１の上面に着脱可能に装着されて履用者の足裏に直接接触する中敷（ソックライニング）１２等を備えている。尚、本実施形態のインソール１０は、中敷１２のみを指す狭義のインソールではなく、中底１１と中敷１２を含む広義のインソールを対象としている。
【００２７】
図５，図９，図１０に示すように、中底１１は、本底４の平面視形状と略同じ平面視形状に形成され、外周縁部下面が甲皮２の下端部分に接着剤を用いて接着されている。
中底１１は、略均一厚さのボード材を用いて構成されている。ボード材は、例えば、商品名テキソンと呼ばれるボール紙をプレス成形で固めた硬質ボードで形成されている。尚、中底１１は、一種類の硬質ボードを型抜きして形成する場合の他、複数種類のボード片を組み合わせたものを型抜きして形成することも可能である。
【００２８】
図６，図７（ａ），図７（ｂ）に示すように、中敷１２は、クッション材１３と、内側パッド１４と、外側パッド１５を備えている。
クッション材１３は、足骨格の内側縦アーチ（足底弓）、外側縦アーチ、及び内側縦アーチと外側縦アーチの先端部を結ぶ線に沿った横アーチを支える凸曲面状隆起部を形成している。このクッション材１３は、履用者が踏み込んだときに踏み心地が良くなるように弾性復元性に優れた材料、例えば、スポンジ、ポリウレタン発泡素材等によって構成されている。
【００２９】
図６，図７（ｂ）に示すように、内側パッド１４と外側パッド１５は、クッション材１３の裏面で且つ第１〜第５足趾骨に対応した領域に接着剤を用いて接着されている。
内側パッド１４と外側パッド１５は、例えば、合成ゴム、ポリウレタン発泡素材等によって構成されている。これら内側パッド１４と外側パッド１５は、略等しい所定の厚みを有するため、履用者は、クッション材１３を介してパッド１４，１５に起因した異物感を足裏で認識することが可能である。
【００３０】
また、クッション材１３の反発力をｆ１、内側パッド１４の反発力をｆ２、外側パッド１５の反発力をｆ３としたとき、次式が成立するように各部材が成形されている。
ｆ３＜ｆ１＜ｆ２                                                      …（１）
特に、本実施形態では、次式のように設定している。
ｆ３＜１／３×ｆ２                                                    …（２）
【００３１】
内側パッド１４は、履用者の足のうち母趾球から母趾の爪先に亙る第１足趾骨に対応した領域を支持している。この内側パッド１４は、略台形状に形成され、第１趾の基節骨と末節骨の下側に配設されている。外側パッド１５は、履用者の足のうち第２〜第５足趾骨に対応した領域を支持している。この外側パッド１５は、略台形状に形成され、第２〜５趾の基節骨、中節骨、及び末節骨の下側に配設されている。
以上により、芯部材５の付勢力にて爪先部４ｂを上方に引き上げ、内側パッド１４を介して第１足趾骨に対応した領域に芯部材５の付勢力を作用させている。それ故、歩行中において、履用者の疲労に拘らず、距骨下の動作である背屈と内かえしの複合運動が促進される。
【００３２】
次に、図８に基づき、靴１の製造手順について説明する。
中底貼付工程では、図８（ａ）に示す靴１の木型（ラスト）２０の底面に、例えば、両面テープを用いて中底１１を貼り付ける（図８（ｂ））。木型２０は、合成樹脂材、或いはアルミ合金材等によって構成されている。尚、両面テープに代えて別の固定手段（例えば、タックス等）を用いて中底１１を木型２０に固定しても良い。
【００３３】
甲皮接着工程では、木型２０に甲皮２を被せ、下縁部を中底１１の裏面に巻き込むように引っ張りながら甲皮２を木型２０に馴染ませて吊り込みを行う。次に、甲皮２の下縁部を中底１１の裏面に接着剤を用いて接着し、第１中間体１ａを成形する（図８（ｃ））。
芯部材貼付工程では、第１中間体１ａの中底１１の裏面全域に接着剤を塗布し、芯部材５が貼り付けられる（図８（ｄ））。図９に示すように、接着剤が塗布された中底１１の後部に芯部材５の踵部を貼り付けた後、踵部から前方に向かって貼付領域を拡大して芯部材５が貼り付けられた第２中間体１ｂを成形する。
【００３４】
本底圧着工程では、甲皮２の下縁部の表面をバフがけした後、第２中間体１ｂの芯部材５を含む裏面全域に接着剤を塗布し、本底４が貼り付けられる（図８（ｅ））。図１０に示すように、接着剤が塗布された第２中間体１ｂの前端部裏面に接着剤が塗布された本底４の爪先部を貼り付けた後、爪先部から後方に向かって貼付領域を拡大して本底４が貼り付けられた第３中間体１ｃを成形する。
中敷配置工程では、第３中間体１ｃを木型２０から外し、両パッド１４，１５が接着された中敷１２を甲皮２の履き口から挿入して靴１を完成する（図８（ｆ））。
【００３５】
次に、上記履物の底部材の作用、効果について説明する。
この履物の底部材によれば、インソール１０が第１足趾骨を支持可能な内側パッド１４を有しているため、母趾球から爪先に亙る第１足趾骨領域に内側パッド１４を用いて押圧力を作用させることができ、履用者の条件反射を用いて親指を強制的に下向きに動かして歩行改善を図ることができる。本底４とインソール１０の間に配設され且つ本底４の先端部分を上方に引き上げると共に内側パッド１４を上方に付勢する芯部材５を設けているため、本底４の爪先部分を強制的に引き上げることができ、躓き防止を図ることができる。また、履用者の踏付力に拘らず母趾球よりも爪先側の第１足趾骨領域に上向きの押圧力を作用させるため、履用者による躓き防止動作を距骨下の背屈と内かえしによる最小限の複合運動で実行することができる。
【００３６】
インソール１０は、本底４に芯部材５を介在させて固着された中底１１と、中底１１上面に着脱可能に装着された中敷１２とを有し、内側パッド１４は、中敷１２に固着されたため、躓き防止動作である背屈と内かえしの複合運動の実行可否を中敷１２の装着によって切り替えることができる。
【００３７】
中敷１２が第２足趾骨から第５足趾骨までの外側部分を支持可能な外側パッド１５を有し、内側パッド１４は、外側パッド１５よりも高反発材料で形成されたため、内かえしを促進することができ、履き心地を確保しつつ躓き防止を図ることができる。
【００３８】
芯部材５は、前半部が後半部に対して上方に屈曲形成され、前半部は、靴１の重量を引き上げ可能に構成されたため、本底４の爪先部分を確実に引き上げることができる。
【００３９】
芯部材５は、カーボンファイバからなる不織シートによって構成されたため、簡単な構成で付勢機能付き芯部材５を成形することができる。
【実施例２】
【００４０】
次に、実施例２に係るスリッパ１Ａについて図１１に基づき説明する。
尚、実施例１と同様の部材には、同じ符号を付している。
【００４１】
実施例１では、踵部を有する本底４を備えた履物である靴１であったのに対し、実施例２では、踵部を有していない本底４Ａを備えた履物である部屋履きスリッパ１Ａを対象としている。図１１に示すように、スリッパ１Ａは、履用者の足を包み込む甲皮２Ａと、床面に接する本底４Ａと、この本底４Ａの上に配置されて履用者の足裏に伝わる力を分散するインソール１０Ａと、本底４Ａとインソール１０Ａの間に配設された芯部材５等を主な構成要素としている。
【００４２】
本底４Ａは、床面に沿った平坦状に形成され、踵部が省略されている。
この本底４Ａは、屈曲性に富み、反発弾性に優れ且つ圧縮永久歪が少ない材料、例えば、革によって成形される。芯部材５は、カーボンファイバを用いて成形され、爪先部分に所定の反発力を付与する反発力付与機構が形成されている。
【００４３】
インソール１０Ａは、本底４Ａの上面に一体的に接着される中底１１と、この中底１１の上面に着脱可能に装着されて履用者の足裏に直接接触する中敷１２Ａ等を備えている。
中敷１２Ａは、クッション材１３Ａと、内側パッド１４と、外側パッド１５とを有している。内側パッド１４と外側パッド１５の反発力は、前述した式（１）及び式（２）を満たすように成形されている。
【００４４】
次に、スリッパ１Ａの製造手順について説明する。
まず、木型２０の底面に中底１１を貼り付け、甲皮２Ａの吊り込みを行う。
次に、甲皮２Ａと中底１１からなる第１中間体の中底１１の裏面に接着剤を用いて芯部材５を貼り付ける。芯部材５が貼り付けられた第２中間体の底面に接着剤を用いて本底４Ａを貼り付ける。最後に、本底４Ａが貼り付けられた第３中間体を木型２０から取り外し、両パッド１４，１５が接着された中敷１２Ａを甲皮２Ａの履き口から挿入する。
これにより、踵部を有していないスリッパ１Ａにおいて、履用者の足部に背屈と内かえしによる最小限の複合運動を誘発させることができ、履用者の疲労に拘らず歩行改善効果を確保することができる。
【００４５】
次に、前記実施形態を部分的に変更した変形例について説明する。
１〕前記実施例においては、踵部を有する靴１及び踵部を有していない部屋履きスリッパ１Ａの例を説明したが、少なくとも躓き防止を目的とする履物であれば良く、踵部を有していないサンダル等の履物にも適用可能である。
【００４６】
２〕前記実施例においては、インソール１０が中底１１と中敷１２によって構成され、中敷１２を後から装着する履物の例を説明したが、中底と中敷が予め一体化されたインソールを用いても良い。
【００４７】
３〕前記実施例においては、本底４と中底１１との間に芯部材５を設けた例を説明したが、少なくとも、本底４と中敷１２を上方に付勢する付勢力を付与可能な芯部材５であれば良く、中底１１と中敷１２との間に芯部材５を設けても良い。この場合、中底１１と中敷１２を予め一体化されたインソールを用いる必要がある。
【００４８】
４〕その他、当業者であれば、本発明の趣旨を逸脱することなく、前記実施形態に種々の変更を付加した形態や各実施形態を組み合わせた形態で実施可能であり、本発明はそのような変更形態も包含するものである。
【符号の説明】
【００４９】
１            靴
１Ａ          スリッパ
３            靴底
４，４Ａ      本底
５            芯部材
１０，１０Ａ  インソール
１１          中底
１２，１２Ａ  中敷
１４          内側パッド
１５          外側パッド
【要約】
【課題】履用者の疲労に拘らず歩行改善効果を確保することができる履物の底部材を提供する。
【解決手段】路面に接する本底４と、この本底４を介して履用者の足裏に伝わる力を分散するインソール１０とを備えた靴１の底部材において、インソール１０が第１足趾骨を支持可能な内側パッド１４と第２足趾骨から第５足趾骨までの外側部分を支持可能な外側パッド１５とを有し、内側パッド１４が外側パッド１５よりも高反発材料で形成され、本底４とインソール１０の間に配設され且つ本底４の先端部分を上方に引き上げると共に内側パッド１４を上方に付勢する芯部材５を設けている。
【選択図】  図８【図１】
0006829917.tif 000002
【図２】
0006829917.tif 000003
【図３】
0006829917.tif 000004
【図４】
0006829917.tif 000005
【図５】
0006829917.tif 000006
【図６】
0006829917.tif 000007
【図７】
0006829917.tif 000008
【図８】
0006829917.tif 000009
【図９】
0006829917.tif 000010
【図１０】
0006829917.tif 000011
【図１１】
0006829917.tif 000012